(57)【要約】【課題】軽い力で大きな切断力を得ることができる剪定鋏の構造を提供する。【解決手段】第一把持柄１と第二把持柄２及び第一刃体３と第二刃体４とで構成し、第一把持柄１の先方に突出させた第一刃体３の中間位置を第二把持柄２に形成した支持部５の先端に、軸８によって支持させる。そして、第一刃体３と第二把持柄２の軸支位置よりも基方において第一刃体３と第二刃体４を軸９によって支持する。さらに、第二刃体４は第一刃体３との軸９による支持位置よりも基方において、一端を第二把持柄２に軸１０によって支持したリンク杆６の先端部分に、軸１１によって支持させる。これにより、軸８を中心とする回動力が、リンク機構を介して軸９を中心とする回動力に増幅されるとともに、刃体全体が軸８を中心として下方に回動するため、切断作業に際して引き切りの効果を生じる。【選択図】  図２
2005000042.tif 000002
【特許請求の範囲】
【請求項１】
第一把持柄と第二把持柄及び第一刃体と第二刃体とで構成し、第一把持柄の先方に突出させた第一刃体の中間位置を第二把持柄に形成した支持部に軸支させるとともに、該第一刃体と第二把持柄の軸支位置よりも基方において第一刃体と第二刃体を軸支し、第一刃体と第二刃体にはその軸支位置よりも先方に切り刃を形成し、第二刃体は第一刃体との軸支位置よりも基方において、一端を第二把持柄に軸支したリンク杆に軸支させたことを特徴とする剪定鋏。
【請求項２】
リンク杆もしくはリンク杆に軸支された第二刃体の基部と第二把持柄の中間位置とに、第二把持柄の先方に向けて付勢するバネを装着したことを特徴とする請求項１記載の剪定鋏。
【発明の詳細な説明】
【０００１】
【発明の属する技術分野】
本発明は一対の刃体で切断するものであって、複数の支点を備えることによって優れた切断能力を発揮する剪定鋏の構造に関する発明である。
【０００２】
【従来の技術】
従来の剪定鋏は、特許文献１に記載されているように、支軸によって回動自在に支持される一対の刃体の開閉動作によって被切断物を切断するものであって、一対の刃体の基部にそれぞれ把持柄が固定されているのが普通である。したがって、把持柄の開閉動作が直接刃体の開閉動作になるものであり、一対の把持柄に、これを開く方向に付勢するバネが装着されることが多かった。また、特許文献２に開示されるように、軸支した一対の刃体の基部にそれぞれリンク杆を装着し、リンク杆の操作によって刃体を開閉させる思想も知られている。
【０００３】
【特許文献１】
特開平５−２０７８２０号公報（図２参照）
【特許文献２】
特開平８−２８０２５７号公報（図２参照）
【０００４】
【発明が解決しようとする課題】
従来の剪定鋏では、一対の刃体が一つの支点で軸支されているため、切刃による剪断力は、一対の把持柄の動きそのものであって、硬いもの等大きな剪断力を必要とするものは、より強い力で把持柄を操作する必要があった。また、一対の刃体の間には引き切りや押し切りといった、刃線方向の移動を伴うものでないため、切断能力が限定される。例えば刃の大きさに比較して被切断物が大きな場合は切断することが困難であって、被切断物が刃の先端方向へ逃げ易い欠点があった。
上記、従来の剪定鋏の欠点に鑑み、本発明は大きな剪断力であってしかも引き切り作用によって、より効果的に切断することができる剪定鋏を得ることを目的とするものである。
【０００５】
【課題を解決するための手段】
上記目的を達成するため、本発明は、第一把持柄１と第二把持柄２及び第一刃体３と第二刃体４とで構成し、第一把持柄１の先方に突出させた第一刃体３の中間位置を第二把持柄２に形成した支持部５に軸支させる。また、前記第一刃体３と第二把持柄２の軸支位置よりも基方において、第一刃体３と第二刃体４を軸支し、第一刃体３と第二刃体４には両者の軸支位置よりも先方に、切り刃３ａ、４ａを形成する。第二刃体４は、第一刃体３との軸支位置よりも基方において、一端を第二把持柄２に軸支したリンク杆６に軸支させる。
【０００６】
剪定鋏においては、把持柄を開放する方向にバネを配置することによって、切断後自然に刃体が開いて使い勝手がよいようにしているものが多い。上記構造の本発明剪定鋏では、リンク杆６もしくはリンク杆６に軸支された第二刃体４の基部を、先方に付勢するごとく、バネ  （図示例ではコイルバネ）  ７を配置する。具体的には、リンク杆６もしくはリンク杆６に軸支された第二刃体４の基部と第二把持柄３の中間位置とに、コイル状のバネ７を装着する。
【０００７】
【発明の実施の形態】
以下、本発明に係る剪定鋏の実施の形態を添付の図面に基づいて説明する。
図１は、本発明に係る剪定鋏であって刃を開いた状態の正面図、図２はその背面図、図３及び図４は刃を閉じる場合の動きを示す剪定鋏の上部のみの背面図、図５は、刃を閉じた状態の剪定鋏全体の背面図である。
【０００８】
本発明に係る剪定鋏は、第一把持柄１と第二把持柄２及び第一刃体３と第二刃体４で主要部を構成する。第一刃体３は、第一把持柄１の先方へ突出するように一体的に固定している。一方、第二把持柄２の先端部分には支持部５を突出させ、この支持部５に第一刃体３の中間部分を軸８によって軸支するとともに、第一刃体３には、軸８による軸支位置よりも基方において、第二刃体４の中間部分を軸９によって軸支させている。さらに第二刃体４の基端部は、第二把持柄２に一端が軸１０によって軸支されたリンク杆６の先端部に、軸１１によって軸支させている。
【０００９】
上記構成とすることによって、剪定鋏の上部にリンク機構が形成される。すなわち、第一把持柄１に固定された第一刃体３と、第二把持柄２及び／又は第二把持柄に固定した支持杆５と、リンク杆６と、第二刃体４によって実質的に四節リンク機構が形成される。そして、第二把持柄２の中間位置と第二刃体４の基端部との間に配置したバネ７の弾発力によって、第一刃体３と第二刃体４が常時開く方向に付勢され、使用者は把持柄を握る操作のみを行うことによって、繰り返し切断作業を行うことができるものである。
【００１０】
図２に示す刃体を開放した状態から、刃体を閉じる切断作業の作動状況を説明する。第一把持柄１と第二把持柄２を握ると、図３に示すように第一刃体３は、軸８を中心として点線位置から実線位置に回動する。この回動にともなって、第二刃体４は点線位置から実線の下方位置に移動するとともに、第一刃体３と第二刃体４は相対的に回動し、刃体の開きを少し閉じる。さらに、第一把持柄１と第二把持柄を閉じていくと、第一刃体３は図４に示す二点鎖線の位置から実線の位置に移動（回動）する。一方、第二刃体４は二点鎖線で示す位置よりもさらに下方の実線位置に移動する。最終的に図５に示す第一把持柄１と第二把持柄２及び第一刃体３と第二刃体４を閉じた状態に至る。
【００１１】
すなわち図４に示すように、第一刃体３は軸８を中心として点線位置から実線位置の内方に回動し、同時に第二刃体４は第一刃体３と軸９で軸支されていることから、軸９の位置は軸８を中心として回動し下方に移動する。第二刃体４の支持位置が下方に回動することから、第二刃体４は点線に示す上位置から実線で示す下方に移動する。このとき、第一刃体３と第２刃体４は相対的に軸９を中心として回動し、切断作業が行われる。このように、本発明に係る剪定鋏では、第一刃体３と第二刃体４の軸支位置そのものが下方に移動しながら閉じるため、第一刃体３の切り刃３ａと第二刃体４の切り刃４ａの間に、引き切りの作用が生じる。
【００１２】
第一刃体３と第二刃体４を閉じることによる切断力は、軸９を中心とする回動力によって決定される。従来の剪定鋏では、第一刃体と第二刃体を、それぞれの刃体に固定される把持柄によって直接操作するものである。これに対し本発明に係る剪定鋏では、第一把持柄１と第二把持柄２の握り力によって、第一刃体３と第二把持柄２が軸８を中心として回動し、その回動力がリンク機構を介して第一刃体４に伝えられ、軸９における第一刃体３と第二刃体４の回動力として作用する。そして、第一把持柄１と第二把持柄２の軸８が、第一刃体３と第二刃体４の軸９よりも先方に位置することから、第一把持柄１の作用位置から支軸８までの距離が、支軸９までの距離よりも大きくなる。したがって、本発明に係る剪定鋏ではてこの原理によって、従来の剪定鋏に比較してより大きな回動力、すなわち切断力が得られるものである。
【００１３】
現実に作用する力関係は、リンクを構成する支点間寸法、すなわち軸８〜１１の寸法比率によって変化するため、用途に応じて支点間寸法を変えることができる。例えば、軸８と９の軸間寸法と軸１０と１１の軸間寸法比率を選定することによって用途に応じたものを設計することができる。この場合、軸８と９の軸間寸法比率を大きくすると、大きな剪断力を得ることができる一方、刃体の開閉角度は小さくなる。また、第一刃体３と第二刃体４の引き切り効果は、軸８と９の軸間寸法が大きくなる程大きなものとなる。
【００１４】
本発明に係る剪定鋏では、第一把持柄１と第二把持柄２を開くために、従来のように第一把持柄１と第二把持柄２間にバネを装着するものであってもよいが、図示実施形態では第二刃体４そのものを第一刃体に対して閉じる方向に回動させるようなバネを装着している。すなわち、リンク杆６に軸１１によって支持された第二刃体４の基部と第二把持柄２の中間位置とに、第二把持柄の先方に向けて付勢するバネ７を装着している。
【００１５】
図示例において、バネ７は第二把持柄２の中間位置と第二刃体４の基部との間に作用させているが、第二把持柄２の中間位置とリンク杆６に作用させるものや、リンク杆６を支持している軸１０部分において、リンク杆６を上方に付勢するべく回動させるバネを内蔵するものであってもよい。
【００１６】
第一把持柄１と第二把持柄２を開くためのバネは、従来のように第一把持柄１と第二把持柄２間に装着するものであってもよいが、図示例の本発明の実施形態では、リンク杆６もしくはリンク杆６に軸支された第二刃体４の基部と第二把持柄２の中間位置との間に装着している。このようにすると、バネ７の弾発力は、軸８を中心とし、軸９位置に作用する回転モーメントとして作用することになり、バネの作用方向を考慮して、バネの力が把持柄を開く力として合理的に作用することになる。また、バネ７機構は第二把持柄にのみ装着し、第一把持柄１はバネ構造が全く関係しない構造とすることができるため、剪定鋏を取り扱う上で、バネ部分が邪魔にならないものとすることができる。
その他、図面上１２は第一把持柄に配置するロックボタンであって、バネ７の弾発力に抗しては体を閉じた状態に保持するものである。
【００１７】
【発明の効果】
請求項１記載の本発明剪定鋏によれば、第一把持柄と第二把時柄を握る切断作用の際に、第一刃体と第二刃体の全体が回動して下方に移動しながら閉じられることになる。したがって、切断作業に引き切りの効果が生じ、従来の剪定鋏に比較してより優れた切断能力を発揮するとともに、全体がリンク機構として機能し、把持による力が拡大され、より大きな切断力で剪定作業を行うことができる。そのため、従来の剪定鋏よりも太い枝を軽い力で切断することができるといった、切断力を向上させる効果がある。
【００１８】
請求項２記載の発明によれば、一対の刃体を開放方向に付勢するバネの機構を、一方の第二把時柄にのみに配置することができるため、剪定鋏の取り扱い上において、バネ部分が邪魔にならないものとすることができる。例えば第一把持柄の部分全体をベルトに差し込んで、落ちないように携行するといった取り扱いが可能であるとともに、バネの弾発力を効果的に刃体を開く力として利用することができる効果がある。
【図面の簡単な説明】
【図１】図１は、本発明に係る剪定鋏であって、刃を開いた状態の正面図、
【図２】図２は、図１の剪定鋏の背面図、
【図３】図３は、図２に示す状態から少し刃を閉じた状態の上部のみの背面図、
【図４】図４は、図３に示す状態からさらに刃を閉じた状態の上部のみの背面図、
【図５】図５は、刃を完全に閉じた状態の剪定鋏全体の背面図。
【符号の説明】
１…第一把持柄、  ２…第二把持柄、  ３…第一刃体、  ３ａ…刃線、  ４…第二刃体、  ４ａ…刃線、  ５…支持部、  ６…リンク杆、  ７…バネ、  ８，９，１０，１１…軸、  １２…ロックボタン。
【図１】
2005000042.tif 000003
【図２】
2005000042.tif 000004
【図３】
2005000042.tif 000005
【図４】
2005000042.tif 000006
【図５】
2005000042.tif 000007
【手続補正書】
【提出日】平成15年6月11日(2003.6.11)
【手続補正１】
【補正対象書類名】図面
【補正対象項目名】図４
【補正方法】変更
【補正の内容】
【図４】
2005000042.tif 000008